(57)【要約】【課題】本発明が解決しようとする課題は、水滴が侵入し難いプリンタを提供することである。【解決手段】実施形態のプリンタは、筐体と、前記筐体に収納され回転することで用紙を搬送する回転体と、前記用紙の搬送経路に設けられ搬送された用紙に情報を印字する印字部と、印字された用紙を前記筐体の外部に排出する排出部と、前記排出部を開放する開放位置と前記排出部を覆う閉止位置とで移動可能であって、前記回転体の回転に伴い当該閉止位置から当該開放位置へ移動するカバーと、を備える。【選択図】図８
2018122526.tif 000002
【特許請求の範囲】
【請求項１】
筐体と、
前記筐体に収納され回転することで用紙を搬送する回転体と、
前記用紙の搬送経路に設けられ搬送された用紙に情報を印字する印字部と、
印字された用紙を前記筐体の外部に排出する排出部と、
前記排出部を開放する開放位置と前記排出部を覆う閉止位置とで移動可能であって、前記回転体の回転に伴い当該閉止位置から当該開放位置へ移動するカバーと、
を備えたプリンタ。
【請求項２】
前記カバーは、前記回転体と所定の摩擦力を有する摺動体を介して接続されており、前記回転体が回転する間は当該摺動体による摩擦力により前記開放位置に移動する、
請求項１に記載のプリンタ。
【請求項３】
前記回転体は、前記筐体内に軸支された支軸と前記支軸に固定的に設けられるとともに前記支軸の回転に伴って回転し用紙を搬送するプラテンローラとを有し、
前記摺動体は前記支軸の外周部に嵌められたリング状物体であり、
前記カバーは前記摺動体の外周部に嵌められており、
前記回転体の前記排出方向への回転に伴い、前記支軸と前記摺動体との間と前記摺動体と前記カバーとの間との少なくとも一方に発生する摩擦力により、前記カバーは前記開放位置に移動される、
請求項２に記載のプリンタ。
【請求項４】
前記用紙への印字および前記排出部からの排出が終了したら前記カバーを閉止位置に移動させる閉止機構をさらに備えた、
請求項１乃至３のいずれか１項に記載のプリンタ。
【請求項５】
前記閉止機構は、前記回転体の前記反対方向への回転に伴い、前記支軸と前記摺動体との間と前記摺動体と前記カバーとの間との少なくとも一方に発生する摩擦力により、前記カバーを前記閉止位置に移動させる、
請求項４に記載のプリンタ。
【発明の詳細な説明】
【技術分野】
【０００１】
本発明の実施形態は、プリンタに関する。
【背景技術】
【０００２】
従来、用紙に情報を印字するプリンタ、特にバッテリーを搭載した持ち運び可能なポータブルプリンタが存在する。このようなプリンタは、例えば宅配業者が家庭に荷物を配送する際に使用される。また、例えば倉庫等において、在庫管理を行う際にも使用される。
【０００３】
宅配業者は、例えば体にプリンタを装着し、家庭に荷物を配送する。その際に、プリンタを用いて、プリンタ内部に収納されたロール紙に諸情報を印字した用紙（例えば、配送記録や不在票）を開口部から排出する。
【０００４】
ところで、雨天時に屋外でプリンタを使用する場合、プリンタの開口部から水滴が侵入することがある。プリンタ内に水滴が侵入すると、プリンタ内部の機器に悪影響（例えば電気系統のショート）を与えるという問題があった。
【発明の概要】
【発明が解決しようとする課題】
【０００５】
本発明が解決しようとする課題は、水滴が侵入し難いプリンタを提供することである。
【課題を解決するための手段】
【０００６】
実施形態のプリンタは、筐体と、前記筐体に収納され回転することで用紙を搬送する回転体と、前記用紙の搬送経路に設けられ搬送された用紙に情報を印字する印字部と、印字された用紙を前記筐体の外部に排出する排出部と、前記排出部を開放する開放位置と前記排出部を覆う閉止位置とで移動可能であって、前記回転体の回転に伴い当該閉止位置から当該開放位置へ移動するカバーと、を備える。
【図面の簡単な説明】
【０００７】
【図１】図１は、実施形態に係るポータブルプリンタの外観構成の一例を示す斜視図である。
【図２】図２は、実施形態に係るポータブルプリンタの断面図である。
【図３】図３は、実施形態に係るポータブルプリンタの断面図である。
【図４】図４は、実施形態に係るポータブルプリンタの断面図である。
【図５】図５は、実施形態に係るポータブルプリンタの内部構造の一部を示す斜視図である。
【図６】図６は、実施形態に係るポータブルプリンタのハードウェア構成を示すブロック図である。
【図７】図７は、実施形態に係るポータブルプリンタの機能構成を示す機能ブロック図である。
【図８】図８は、実施形態に係るポータブルプリンタの制御処理を示すフローチャートである。
【発明を実施するための形態】
【０００８】
以下、添付図面を参照して、プリンタの実施形態を詳細に説明する。以下に説明する実施形態では、携帯式のポータブルプリンタをプリンタの一例として説明する。なお、以下に説明する実施形態は、プリンタの一実施形態であって、その構成や仕様等を限定するものではない。
【０００９】
図１は、実施形態に係るポータブルプリンタ１の外観構成の一例を示す斜視図である。図１に示すように、ポータブルプリンタ１は、筐体２を備える。筐体２は、感熱紙からなる印字用紙を巻き取ったロール状の用紙２１（図３を参照）を収納可能な内部構造を有する。筐体２内には、後述する用紙の搬送を含む各種の制御系、プリンタエンジン等（図６を参照）が収納される。
【００１０】
また、筐体２には、ポータブルプリンタ１を駆動するためのバッテリー（図示せず）を収納するための開閉可能な蓋体７を備える。収納されたバッテリーはポータブルプリンタ１に電力を供給する。ポータブルプリンタ１は、バッテリーから供給された電力によって駆動する。
【００１１】
筐体２の前面部３には、表示部６が設けられている。表示部６は、印字情報を受信したことを報知する。また、表示部６は、操作部３７（図６を参照）を操作した場合に、操作に伴う各種情報を表示する。また、表示部６は、収納されたバッテリーの残量を表示する。
【００１２】
また、ポータブルプリンタ１は、内部を開放する蓋体４が設けられている。蓋体４は、筐体２に対して開放位置と閉止位置との間で回動可能である。図１においては、蓋体４は筐体２から上方に回動する。蓋体４を開放位置に回動した状態で、ロール状の用紙２１を投入することができる。また、蓋体４を開放位置に回動した状態で、投入されたロール状の用紙２１の先端から用紙Ｐ（図２を参照）を引き出して、所定の位置にセットする。
【００１３】
また、蓋体４には、蓋体４を筐体２に対してロックするためのロック機構５が設けられる。ロック機構５が蓋体４をロックすることで、蓋体４は、筐体２に対して閉止位置にロックされる。また、ロック機構５がロックを解除することで、蓋体４は開放位置に向けて回動が可能となる。
【００１４】
次に、カバー１５について説明する。カバー１５は、後述する支軸１１に回動可能に取り付けられており、蓋体４に対して開放位置と閉止位置との間で回動（移動）する。カバー１５が蓋体４に対して開放位置に位置している状態で、ポータブルプリンタ１は、印字した用紙Ｐを外部に排出する。カバー１５が蓋体４に対して閉止位置に位置している状態で、ポータブルプリンタ１は、外部から内部への水滴、ほこり、異物の侵入をシャットアウトする。
【００１５】
カバー１５は、開閉部および当接部１７を備える。開閉部１６が蓋体４と密着的に接触することで、カバー１５は閉止位置に位置する。開閉部１６が蓋体４から離れることで、カバー１５は開放位置に向けて回動する。当接部１７は、後述するモールド壁２３と当接することで、カバー１５が開放位置に向けて回動する範囲を規制する。当接部１７に当接した状態で、カバー１５は開放位置に位置する。
【００１６】
次に、ポータブルプリンタ１の内部構造について説明する。図２〜４は、実施形態に係るポータブルプリンタの内部構造を側面から断面した断面図である。図２〜図４の断面図は、後述する図５のＡ−Ａで断面した図である。
【００１７】
図２は、用紙Ｐが搬送されていない状態の図である。図２において、ポータブルプリンタ１は、印字部２０、支軸１１、プラテンローラ１３、摺動体であるリング部１４（リング状物体）を備える。支軸１１とプラテンローラ１３を総称して回転体という。すなわち、回転体は、支軸１１とプラテンローラ１３とを有する。リング部１４は、中空の円形状の物体である。リング部１４は、周囲が完全につながった円形状の物体でもよいし、その一部が切断された円形状の物体でもよい。
【００１８】
印字部２０は、発熱素子が用紙Ｐの搬送方向と直交する方向に一列に配列されたライン状のサーマルヘッドを有する。印字情報に応じて印字部２０に電圧を印加すると、印字部２０は、電圧が印加された発熱素子が発熱することで、用紙Ｐに印字を行う。
【００１９】
支軸１１は、筐体２に設けられたフレーム（図示せず）に回転可能に軸支されている。また、プラテンローラ１３は、支軸１１に固定されており、支軸１１とともに回転する。支軸１１が正回転するとプラテンローラ１３も正回転する。支軸１１が逆回転するとプラテンローラ１３も逆回転する。
【００２０】
ここで、正回転とは、用紙を矢印Ｙ３（図３を参照）方向（排出方向）に搬送するために回転体が回転する方向である。矢印Ｙ３方向とは、用紙２１から用紙Ｐを引き出して、搬送経路内に設けられた印字部２０に搬送する方向である。また、矢印Ｙ３方向とは、印字部２０で印字した用紙Ｐをポータブルプリンタ１から外部に排出するための回転体の回転方向である。
【００２１】
また、逆回転とは、用紙を矢印Ｙ３（図３を参照）とは反対方向である矢印Ｙ６（図４を参照）の方向（反対方向）に搬送するための回転体の回転方向である。
【００２２】
摺動体であるリング部１４は、中空のリング形状である。リング部１４は、支軸１１の外周に嵌められている。リング部１４は、外周面と内周面に適度の摩擦係数を有する例えば樹脂で形成されている。リング部１４の内周面と支軸１１の外周面との間に発生した所定大きさの摺動摩擦（摩擦力）により、支軸１１が回転するとリング部１４は支軸１１とともに支軸１１と同方向に回転する。しかしながらリング部１４に外部から回転抑止力が加わると、摺動摩擦の摩擦力に抗して支軸１１の外周面とリング部１４の内周面との間に滑りが生じ、支軸１１が回転しているにも拘らずリング部１４は回転しない。リング部１４が回転しない状態において、リング部１４は、回転している支軸１１から、支軸１１の回転方向に回転しようとする付勢力を受ける。
【００２３】
カバー１５には、足部２５が設けられている。この足部２５は内周面を有する円形状の孔が開けられている。この足部２５の孔が、リング部１４の外周に嵌められている。足部２５の内周面とリング部１４の外周面との間に発生した所定大きさの摺動摩擦により、リング部１４が回転するとカバー１５はリング部１４とともにリング部１４と同方向に回転する。しかしながらカバー１５に外部から回転抑止力が加わると、摺動摩擦の摩擦力に抗して足部２５の内周面とリング部１４の外周面との間に滑りが生じ、リング部１４が回転しているにも拘らずカバー１５は回転しない。カバー１５が回転しない状態において、カバー１５は回転しているリング部１４から、リング部１４の回転方向に回転しようとする付勢力を受ける。
【００２４】
なお、実施形態では、支軸１１とリング部１４との間と、リング部１４とカバー１５との間の双方に摺動摩擦が生じる構成とした。しかしながら、支軸１１とリング部１４との間と、リング部１４とカバー１５との間のいずれか一方のみに摺動摩擦を生じるようにし、他方は相互に回転しないように固定するようにしてもよい。
【００２５】
また、支軸１１には円柱状のプラテンローラ１３が固定されている。そのため、支軸１１が回転するとプラテンローラ１３も同方向に回転する。プラテンローラ１３は、用紙Ｐが搬送される搬送経路２６内に配置された印字部２０に対向する位置に配置される。印字部２０は、プラテンローラ１３に向けてバネ等で付勢されているため、印字部２０はプラテンローラ１３の外周面に押圧されている。
【００２６】
筐体２は、ロール状の用紙２１を収納する。用紙２１から引き出され、搬送経路２６を案内された用紙Ｐは、印字部２０とプラテンローラ１３とで挟持される。
【００２７】
印字部２０は、挟持された用紙Ｐに対して印字を行う。排出部２２は、印字部２０より用紙Ｐの搬送方向下流側に設けられる。排出部２２は、印字された用紙Ｐを外部に排出する開口部を有する。
【００２８】
蓋体４は、図２において蓋体４の表面部から下方向に窪む凹部１８を有する。この凹部１８は、蓋体４の上面から多少（例えば１ｍｍ程度）下方に窪んでいる。
【００２９】
カバー１５の開閉部１６の先端部には、平面上のカッター刃１９が取り付けられている。カッター刃１９は、開閉部１６の先端部から多少（例えば１ｍｍ程度）用紙Ｐの排出方向である前方（図２における左方向）に突出して取り付けられている。
【００３０】
図２に示すように、カバー１５が閉止位置に位置している状態では、カバー１５の開閉部１６およびカッター刃１９は、凹部１８に入り込んだ状態である。すなわち、カバー１５が閉止位置に位置している状態で、カッター刃１９は、カバー１５の外部に突出しない位置に位置している。そのため、カバー１５が閉止位置に位置している状態で、人が安易にカッター刃１９に触れることはない。
【００３１】
また、カバー１５が開放位置に向けて回動すると、開閉部１６（すなわちカバー１５）は開放位置に移動する。そしてカバー１５の当接部１７がモールド壁２３と当接すると、カバー１５のこれ以上の同方向への回動が抑制される。モールド壁２３は、例えば筐体２に設けられたフレームの一部である。当接部１７がモールド壁２３と当接すると、カバー１５の回動が停止し、これ以上のカバー１５の回動を抑制する。この停止した位置がカバー１５の開放位置である。
【００３２】
図３は、支軸１１およびプラテンローラ１３が正回転している状態を示す図である。図３において、支軸１１およびプラテンローラ１３は、矢印Ｙ１の方向に正回転する。すると、リング部１４との間で発生した摺動摩擦によって、カバー１５は、閉止位置から矢印Ｙ２の方向に向けて回動する。カバー１５が矢印Ｙ２の方向に回動することで排出部２２が開放される。回動したカバー１５は、当接部１７がモールド壁２３と当接し、開放位置で停止する。すなわち、カバー１５は、開放位置に位置する。なお、正回転する支軸１１とリング部１４が開放機構の全部または一部を構成する。
【００３３】
また、プラテンローラ１３が正回転すると、用紙Ｐは排出方向に移動する。印字部２０は、後述する制御部３００（図６を参照）の制御により、入力された印字情報に基づいて用紙Ｐに印字を行う。印字された用紙Ｐは排出部２２に向けて排出方向に搬送される。搬送された用紙Ｐは、開放された排出部２２から開閉部１６の下面に沿って開閉部１６の先端部へ矢印Ｙ３の方向に搬送される。開閉部１６の先端部に到達した用紙Ｐは、ポータブルプリンタ１の外部に排出される。
【００３４】
図４は、支軸１１およびプラテンローラ１３が逆回転している状態を示す図である。印字部２０における用紙Ｐへの印字が終了し、排出部２２からの用紙Ｐの排出が終了すると、制御部３００は、支軸１１およびプラテンローラ１３の正回転を停止する。そして制御部３００は、支軸１１およびプラテンローラ１３を所定量逆回転させる。なお、逆回転する支軸１１とリング部１４が閉止機構の全部または一部を構成する。
【００３５】
図４において、支軸１１およびプラテンローラ１３は、矢印Ｙ４の方向に逆回転する。すると、リング部１４との間で発生した摺動摩擦によってカバー１５は、開放位置から矢印Ｙ５の方向に回動（移動）する。カバー１５が矢印Ｙ５の方向に回動することで開閉部１６は閉止位置に移動する。開閉部１６が閉止位置に移動すると、カバー１５によって排出部２２が閉止される。用紙Ｐは、プラテンローラ１３の逆回転により、矢印Ｙ６方向に所定距離だけ搬送される。
【００３６】
回動したカバー１５は、開閉部１６が凹部１８と当接して停止し、カバー１５は、閉止位置に位置する。すなわち、閉止機構がカバー１５を閉止位置に移動させる。また、カッター刃１９も凹部１８と当接している。すなわち、カッター刃１９は、蓋体４から多少下方に入り込んだ位置に位置している。そのため、ポータブルプリンタ１の操作者は、カッター刃１９に直接触れることがない。
【００３７】
この状態で用紙Ｐは、開閉部１６と凹部１８との間で保持されている。ポータブルプリンタ１の操作者は、この状態で外部に排出された印字済みの用紙Ｐをカッター刃１９を用いて切断する。すなわち操作者は、外部に排出された用紙Ｐをつかみ、カッター刃１９に当てながら片側から他側に向けて引きちぎるように引っ張ることで、カッター刃１９が用紙Ｐを切断する。
【００３８】
なお、図３に示すように、用紙の排出方向への搬送が終了した状態で、ポータブルプリンタ１の操作者は排出された用紙Ｐをカッター刃１９に当てて切断してもよい。すなわち、印字部２０とプラテンローラ１３で用紙Ｐを挟持しているため、操作者は、カバー１５が開放位置に位置している状態で、用紙Ｐを切断してもよい。
【００３９】
次に、支軸１１、リング部１４およびカバー１５の取り付け状態について説明する。図５は、支軸１１の外周面にリング部１４をはめ込み、リング部１４の外周面にカバー１５をはめ込んだ状態の一部を示す斜視図である。
【００４０】
支軸１１は、凹部１２によって筐体２のフレームに回転可能に軸支される。支軸１１の長手方向の中央部にはプラテンローラ１３が固定されている。リング部１４は、支軸１１のプラテンローラ１３の両側部に１個ずつ、プラテンローラ１３の両側の側面１３ａに近づけてはめ込まれている。また、カバー１５の足部２５は、双方のリング部１４にはめ込まれている。リング部１４および足部２５は、いずれの側の側面１３ａとも接触していない。
【００４１】
なお、リング部１４の代わりに、リング部１４と同一素材を使用した摺動体をプラテンローラ１３の両側の側面１３ａと足部２５との間に設けてもよい。この場合、プラテンローラ１３と摺動体は接触している。また、摺動体とカバー１５は接触している。そして、プラテンローラ１３と摺動体との摺動摩擦と、摺動体とカバー１５との摺動摩擦の少なくとも一方により、カバー１５を閉止位置と開放位置との間で回動させる。すなわち、プラテンローラ１３が正回転すると摺動体との摺動摩擦によりカバー１５が回動して開放位置に位置する。また、プラテンローラ１３が逆回転すると摺動体との摺動摩擦によりカバー１５が回動して閉止位置に位置する。この場合、正回転するプラテンローラ１３と摺動体が開放機構の全部または一部を構成する。また、逆回転するプラテンローラ１３と摺動体が閉止機構の全部または一部を構成する。
【００４２】
ここからは、ポータブルプリンタ１のハードウェア構成について説明する。図６は、ポータブルプリンタ１のハードウェア構成を示すブロック図である。図６に示すように、ポータブルプリンタ１は、ＣＰＵ（Central  Processing  Unit）３１、ＲＯＭ（Read  Only  Memory）３２、ＲＡＭ（Random  Access  Memory）３３、メモリ部３４等を備えている。ＣＰＵ３１は制御主体となる。ＲＯＭ３２は各種プログラムを記憶する。ＲＡＭ３３はプログラムや各種データを展開する。メモリ部３４は各種プログラムを記憶する。ＣＰＵ３１、ＲＯＭ３２、ＲＡＭ３３、メモリ部３４は、互いにバス３５を介して接続されている。ＣＰＵ３１とＲＯＭ３２とＲＡＭ３３が、制御部３００を構成する。すなわち、制御部３００は、ＣＰＵ３１がＲＯＭ３２やメモリ部３４に記憶されＲＡＭ３３に展開された制御プログラムに従って動作することによって、後述する制御処理を実行する。
【００４３】
メモリ部３４は、電源を切っても記憶情報が保持されるＨＤＤ（Hard  Disk  Drive）やフラッシュメモリ等の不揮発性メモリで構成される。メモリ部３４は、印字する種々の印字データを記憶する。また、メモリ部３４は、印字データに基づいて制御部３００が印字処理を行うための制御プログラムを記憶する制御プログラム部３４１を備える。ＲＡＭ３３は、外部装置（例えばパーソナルコンピュータ、ＰＤＡ（Personal  Digital  Assistant）、スマートフォン）等から受信した印字データを記憶する。
【００４４】
また、制御部３００は、バス３５およびコントローラ３６を介して、操作部３７、表示部６、搬送モータ３８、印字部２０と接続している。操作部３７は、例えば、メモリ部３４に記憶されている印字データを読み出すために操作する。搬送モータ３８は、支軸１１を回転させるための動力源である。搬送モータ３８の回転力は、ギヤやベルトを介して支軸１１に伝動される。搬送モータ３８が一方向に回転すると支軸１１（すなわちプラテンローラ１３）が正回転する。搬送モータ３８が一方向とは反対方向に回転すると支軸１１（すなわちプラテンローラ１３）が逆回転する。
【００４５】
コントローラ３６は、制御部３００からの指示を受けて、操作部３７、表示部６、搬送モータ３８、印字部２０を制御する。ただし、説明の都合上、コントローラ３６が行う制御を制御部３００が行うとして説明する。
【００４６】
また、制御部３００は、バス３５を介して、通信部３９と接続している。通信部３９は、無線通信回線を介して、操作者が携帯する外部装置と通信可能に接続している。
【００４７】
ここからはポータブルプリンタ１の制御について詳細に説明する。図７は、ポータブルプリンタ１の機能構成を示す機能ブロック図である。制御部３００は、ＲＯＭ３２やメモリ部３４の制御プログラム部３４１に記憶された制御プログラムに従うことで、正回転手段３０１と逆回転手段３０２として機能する。
【００４８】
正回転手段３０１は、用紙Ｐを排出方向に搬送するために回転体を排出方向へ回転させる機能を備える。
【００４９】
逆回転手段３０２は、用紙を所定の位置に引き戻すために回転体を所定量前記反対方向へ回転させる機能を有する。
【００５０】
図８は、ポータブルプリンタ１の制御処理の流れを示すフローチャートである。図８に示すように、制御部３００は、外部装置から印字データを受信したか否かを判断する（Ｓ１１）。制御部３００は、通信部３９に印字データを受信している場合に、外部装置から印字データを受信したと判断する。制御部３００は、通信部３９に印字データを受信していない場合に、外部装置から印字データを受信していないと判断する。
【００５１】
外部装置から印字データを受信したと判断した場合には（Ｓ１１のＹｅｓ）、制御部３００は、当該受信データをＲＡＭ３３に記憶する（Ｓ１２）。外部装置から印字データを受信していないと判断した場合には（Ｓ１１のＮｏ）、制御部３００は、待機する。
【００５２】
なお、操作部３７の操作により、メモリ部３４に記憶されている印字データを読み出した場合は、Ｓ１１においてＹｅｓと判断する。
【００５３】
次に制御部３００（正回転手段３０１）は、搬送モータ３８を正回転させる（Ｓ１３）。すると、支軸１１およびプラテンローラ１３が正回転する。プラテンローラ１３が正回転すると、用紙Ｐが排出方向に搬送される。この状態で、カバー１５は閉止位置から開放位置に回動し、排出部２２が開放される。
【００５４】
次に制御部３００は、印字部２０に対し、受信した印字データに基づいた印字信号を送信する。すなわち制御部３００は、印字部２０を用いて搬送する用紙Ｐに対して印字を開始する（Ｓ１４）。そして制御部３００は、すべての情報が印字されたか否かを判断する（Ｓ１５）。ＲＡＭ３３に記憶された印字データに対する印字信号を送信した場合には、制御部３００はすべての情報が印字されたと判断する。まだ未送信の印字データがＲＡＭ３３に存在すると判断した場合には、制御部３００は、すべての情報は印字されていないと判断する。
【００５５】
すべての情報は印字されていないと判断した場合には（Ｓ１５のＮｏ）、制御部３００は、すべての情報を印字するまで待機する。すべての情報が印字されたと判断した場合には（Ｓ１５のＹｅｓ）、制御部３００は、印字処理を終了する（Ｓ１６）。そして制御部３００は、搬送モータ３８の正回転を停止する（Ｓ１７）。この状態で、印字された用紙Ｐは、排出部２２から外部に排出されている。
【００５６】
次に制御部３００（逆回転手段３０２）は、搬送モータ３８を所定量だけ逆回転させる（Ｓ１８）。所定量とは、カバー１５が開放位置から閉止位置まで回動するのに必要な量である。搬送モータ３８が逆回転すると、支軸１１およびプラテンローラ１３も逆回転する。支軸１１の逆回転に伴い、カバー１５が開放位置から回動して閉止位置に位置する。すると、カバー１５の開閉部１６が凹部１８に入り込む。また、開閉部１６の先端部に取り付けられたカッター刃１９も凹部１８に入り込む。このようにして、カバー１５は排出部２２を閉止する。そして制御部３００は、搬送モータ３８を所定量だけ逆回転させたら、搬送モータ３８の逆回転を停止する（Ｓ１９）。そして制御部３００は、処理を終了する。処理が終了すると、制御部３００は、またＳ１１に戻り、次の印字データを受信するまで待機する。
【００５７】
このように、実施形態のポータブルプリンタ１は、用紙Ｐへの印字と排出をする際に、回転体とカバー１５との間に摺動体であるリング部１４を介在させ、回転体の用紙Ｐを排出方向へ搬送する回転に伴うリング部１４との摺動摩擦によって、カバー１５を回動させて開放位置に位置するようにした。すなわち、用紙Ｐへの印字と排出以外のときはカバー１５を閉止位置に位置するようにした。そのため、例えば雨天時にポータブルプリンタ１を使用しても、ポータブルプリンタ１に水分が侵入し難い。
【００５８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、クレームに記載された発明とその均等の範囲に含まれる。
【００５９】
例えば、上記実施形態では、逆回転する支軸１１とリング部１４を閉止機構としたが、この限りではない。例えば、カバー１５が図４の矢印Ｙ５の方向の付勢力を受けるように、カバー１５と筐体２との間に例えば弾性部材を設けてもよい。この場合、支軸１１が正回転している場合は、リング部１４との摺動摩擦が弾性部材の付勢力より大きいためカバー１５が開放位置に位置する。また、支軸１１が正回転していない場合は、弾性部材の付勢力によってカバー１５が閉止位置に位置するようにしてもよい。この場合、弾性部材が閉止機構の一部または全部である。
【００６０】
また、実施形態では、カバー１５の移動の一例として、カバー１５を開放位置と閉止位置との間で回動するようにした。しかしながら、これに限らず、例えば、カバー１５を開放位置と閉止位置との間でスライドするように移動させてもよい。
【００６１】
また、実施形態では、ポータブルプリンタ１をプリンタの一例として説明した。しかしながら、プリンタはポータブルプリンタ１以外のプリンタ（例えば卓上型のプリンタ）であってもよい。
【００６２】
なお、実施形態のポータブルプリンタ１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００６３】
また、実施形態のポータブルプリンタ１で実行されるプログラムを、インターネット等のネットワークに接続されたコンピュータ上に格納し、ネットワーク経由でダウンロードさせることにより提供するように構成しても良い。また、実施形態のポータブルプリンタ１で実行されるプログラムをインターネット等のネットワーク経由で提供または配布するように構成しても良い。
【００６４】
また、実施形態のポータブルプリンタ１で実行されるプログラムを、ＲＯＭ等に予め組み込んで提供するように構成してもよい。
【符号の説明】
【００６５】
１          ポータブルプリンタ
２          筐体
４          蓋体
１１        支軸
１３        プラテンローラ
１３ａ      側面
１４        リング部
１５        カバー
１６        開閉部
１７        当接部
１８        凹部
１９        カッター刃
２０        印字部
２３        モールド壁
３００      制御部
３０１      正回転手段
３０２      逆回転手段
Ｐ          用紙
【先行技術文献】
【特許文献】
【００６６】
【特許文献１】特開２００１−０８０１３０号公報
【図１】
2018122526.tif 000003
【図２】
2018122526.tif 000004
【図３】
2018122526.tif 000005
【図４】
2018122526.tif 000006
【図５】
2018122526.tif 000007
【図６】
2018122526.tif 000008
【図７】
2018122526.tif 000009
【図８】
2018122526.tif 000010